(57)【要約】【課題】携帯電話機の置き忘れ時に、自動的に警報を発生して置き忘れを防止すると共に、自動的に携帯電話機のキーをロックして他人の不正使用を防止する。【解決手段】携帯電話装置は、携帯電話機１０と、この携帯電話機１０の外部接続端子１８に着脱自在に接続される監視制御回路３０と、電波の送受信機能を有する監視器４０とを備えている。監視制御回路３０は、携帯電話機１０内の電源部２０から電源電力の供給を受けると共に、制御部２８により制御され、監視器４０に対して電波の送受信機能を有している。使用者が携帯電話機１０と共に監視器４０を携帯し、何処かで携帯電話機１０を置き忘れてその場から離れると、自動的に監視器４０のスピーカ４４から警報が鳴ると共に、携帯電話機１０のスピーカ１４から警報が鳴り、更に自動的に携帯電話機１０のキーロック状態がオン状態になる。【選択図】      図１
2004260540.tif 000002
【特許請求の範囲】
【請求項１】
電話機本体全体をプログラム制御する第１の制御部の制御に基づき、キーの操作によって無線での音声通話及びデータ伝送を行い、前記キーによる所定のロック操作によって前記キーの操作をロックする電話機本体と、第１のバッテリを有し、前記第１のバッテリの出力電力に基づき所定の電源電力を前記電話機本体内に供給する第１の電源部と、外部との間で電源電力及び信号の入／出力を行う外部接続端子と、を備えた携帯電話機と、
前記携帯電話機に装着され、前記第１の電源部から電源電力の供給を受け、前記第１の制御部の制御に基づき監視信号の電波を送信し、外部からのキーロック信号の電波を受信すると、前記第１の制御部の制御に基づき前記キーをロックさせ、ロック完了信号の電波を送信した後に前記監視信号の送信を停止する監視制御回路と、
前記監視信号及び前記ロック完了信号の電波を受信すると共に前記キーロック信号の電波を送信する無線部と、警報を発する警報部と、前記無線部で受信された前記監視信号に基づき、前記監視制御回路からの距離が所定の監視距離を越えたか否かの検出を行い、前記監視距離を越えたときには前記警報部から警報を発生させると共に前記キーロック信号を前記無線部から送信させ、前記無線部で受信された前記ロック完了信号に基づき、前記キーロック信号の送信を停止させる第２の制御部と、第２のバッテリを有し、前記第２のバッテリの出力電力に基づき監視器全体に所定の電源電力を供給する第２の電源部と、を備えた監視器と、
を備えたことを特徴とする携帯電話装置。
【請求項２】
前記第２の制御部は、前記ロック完了信号に基づき、前記警報部の警報を停止させると共に、前記キーロック信号の送信を停止させる構成にしたことを特徴とする請求項１記載の携帯電話装置。
【請求項３】
前記監視制御回路は、前記キーロック信号を受信すると、前記第１の制御部の制御に基づき、前記携帯電話機から警報を発生させると共に前記キーをロックさせる構成にしたことを特徴とする請求項１又は２記載の携帯電話装置。
【請求項４】
前記監視制御回路は、前記ロック完了信号を送信した後、前記携帯電話機の警報を停止させると共に前記監視信号の送信を停止する構成にしたことを特徴とする請求項３記載の携帯電話装置。
【請求項５】
前記制御部は、前記無線部で受信された前記監視信号のレベル変化に基づき、前記監視制御回路からの距離が所定の監視距離を越えたか否かの検出を行う構成にしたことを特徴とする請求項１〜４のいずれか１項に記載の携帯電話装置。
【請求項６】
電話機本体全体をプログラム制御する第１の制御部の制御に基づき、キーの操作によって無線での音声通話及びデータ伝送を行い、前記キーによる所定のロック操作によって前記キーの操作をロックする電話機本体と、第１のバッテリを有し、前記第１のバッテリの出力電力に基づき所定の電源電力を前記電話機本体内に供給する第１の電源部と、外部との間で電源電力及び信号の入／出力を行う外部接続端子と、を備えた携帯電話機と、
前記携帯電話機に装着され、前記第１の電源部から電源電力の供給を受け、前記第１の制御部の制御に基づき、外部からの監視信号の電波を受信しているときにはその応答信号の電波を送信し、前記監視信号の電波が受信されなくなると、前記第１の制御部の制御に基づき前記キーをロックさせた後、ロック完了信号の電波を送信する監視制御回路と、
前記監視信号の電波を送信すると共に前記応答信号及び前記ロック完了信号の電波を受信する無線部と、警報を発する警報部と、前記無線部で受信された前記応答信号に基づき、前記監視制御回路からの距離が所定の監視距離を越えたか否かの検出を行い、前記監視距離を越えたときには前記警報部から警報を発生させると共に前記無線部から前記監視信号の送信を停止させ、前記無線部で受信された前記ロック完了信号に基づき、前記監視信号の送信を停止させる第２の制御部と、第２のバッテリを有し、前記第２のバッテリの出力電力に基づき監視器全体に所定の電源電力を供給する第２の電源部と、を備えた監視器と、
を備えたことを特徴とする携帯電話装置。
【請求項７】
前記第２の制御部は、前記ロック完了信号に基づき、前記警報部の警報を停止させると共に、前記監視信号の送信を停止させる構成にしたことを特徴とする請求６記載の携帯電話装置。
【請求項８】
前記監視制御回路は、前記監視信号の電波が受信されなくなると、前記第１の制御部の制御に基づき、前記携帯電話機から警報を発生させると共に前記キーをロックさせる構成にしたことを特徴とする請求項６又は７記載の携帯電話装置。
【請求項９】
前記監視制御回路は、前記キーをロックさせた後、前記携帯電話機の警報を停止させると共に前記ロック完了信号を送信する構成にしたことを特徴とする請求項８記載の携帯電話装置。
【請求項１０】
前記制御部は、前記無線部で受信された前記応答信号のレベル変化に基づき、又は、前記無線部からの前記監視信号の送信時刻と前記無線部での前記応答信号の受信時刻との時刻差に基づき、前記監視制御回路からの距離が所定の監視距離を越えたか否かの検出を行う構成にしたことを特徴とする請求項６〜９のいずれか１項に記載の携帯電話装置。
【請求項１１】
前記監視制御回路は、前記携帯電話機の前記外部接続端子に着脱自在に接続する構成にしたことを特徴とする請求項１〜１０のいずれか１項に記載の携帯電話装置。
【発明の詳細な説明】
【０００１】
【発明の属する技術分野】
本発明は、簡易型携帯電話機（Ｐｅｒｓｏｎａｌ  Ｈａｎｄｙ−ｐｈｏｎｅ  Ｓｙｓｔｅｍ、以下「ＰＨＳ」という。）を含む携帯電話機の置き忘れ時に、警報を発生すると共に、携帯用監視器から自動的にその携帯電話機のキーロック機能をオン状態にすることができる携帯電話装置に関するものである。
【０００２】
【従来の技術】
従来、このような分野の技術としては、例えば、次のような文献に記載されるものがあった。
【０００３】
【特許文献１】
特開平１０−１６４２１９号公報
【０００４】
この特許文献１には、キーロック機能を有する携帯電話機の技術が記載されている。キーロック機能付きの携帯電話機では、例えば、使用者が予めパスワードを設定してキーロック機能をオン状態にしておくと、携帯電話機の電源投入時にパスワード入力待ちとなり、入力されたパスワードと設定されているパスワードとが一致しないと、以降キーがロックされてキー入力が禁止され、携帯電話機として使用できないようになっている。ところが、キーロック機能をオン状態にしていない状態で携帯電話機を紛失すると、他人に不正使用されたり、登録された電話帳、メモ等の各種情報が漏洩する虞がある。
【０００５】
そこで、これを防止するために、特許文献１の技術では、例えば、携帯電話機を紛失した場合、別の電話機からキーロックを指示するデータをＤＴＭＦ（Ｄｕａｌ  Ｔｏｎｅ  Ｍｕｌｔｉ  Ｆｒｅｑｕｅｎｃｙ、二重トーン多重周波数）信号で送信する。携帯電話機は、到来する電波をアンテナを介して受信器で受信すると、この受信信号を復調部で復調し、コーデックで音声信号に変換する。変換された音声信号は、デコーダで解読され、この解読結果からその音声信号がＤＴＭＦ信号でなければ、該音声信号がレシーバを介して鳴動出力され、音声信号がＤＴＭＦ信号であれば、該デコーダから数字データが出力されて制御部に与えられる。制御部では、デコーダから入力される数字データと、メモリに格納されたキーロック指示データとを比較し、それらが一致すれば、キーロック機能をオン状態にしてキー操作を無効にし、そうでなければ、通話の処理等を行う。
【０００６】
このように、携帯電話機を紛失しても、他の電話機からキーロック指示データをＤＴＭＦ信号で送信すれば、遠隔地からその携帯電話機のキーロック機能をオン状態にすることができるので、紛失時の不正使用を防止して、携帯電話機に登録されている各種情報の漏洩を防止できる。
【０００７】
【発明が解決しようとする課題】
しかしながら、従来の特許文献１の技術では、何処かに携帯電話機を置き忘れた場合、わざわざ他の電話機からキーロック指示データをＤＴＭＦ信号で送信しなければならないので、即応性に欠け、しかも電話料金が掛かる上に、携帯電話機そのものの置き忘れを防止することができず、使い勝手が悪いという課題があった。
【０００８】
【課題を解決するための手段】
前記課題を解決するために、本発明の内の請求項１に係る発明の携帯電話装置では、携帯電話機と、監視制御回路と、監視器とを備えている。
【０００９】
前記携帯電話機は、電話機本体全体をプログラム制御する第１の制御部の制御に基づき、キーの操作によって無線での音声通話及びデータ伝送を行い、前記キーによる所定のロック操作によって前記キーの操作をロックする電話機本体と、第１のバッテリを有し、前記第１のバッテリの出力電力に基づき所定の電源電力を前記電話機本体内に供給する第１の電源部と、外部との間で電源電力及び信号の入／出力を行う外部接続端子と、を備えている。前記監視制御回路は、前記携帯電話機に装着され、前記第１の電源部から電源電力の供給を受け、前記第１の制御部の制御に基づき監視信号の電波を送信し、外部からのキーロック信号の電波を受信すると、前記第１の制御部の制御に基づき前記キーをロックさせ、ロック完了信号の電波を送信した後に前記監視信号の送信を停止する回路である。
【００１０】
更に、前記監視器は、前記監視信号及び前記ロック完了信号の電波を受信すると共に前記キーロック信号の電波を送信する無線部と、警報を発する警報部と、前記無線部で受信された前記監視信号に基づき、前記監視制御回路からの距離が所定の監視距離を越えたか否かの検出を行い、前記監視距離を越えたときには前記警報部から警報を発生させると共に前記キーロック信号を前記無線部から送信させ、前記無線部で受信された前記ロック完了信号に基づき、前記キーロック信号の送信を停止させる第２の制御部と、第２のバッテリを有し、前記第２のバッテリの出力電力に基づき監視器全体に所定の電源電力を供給する第２の電源部と、を備えている。
【００１１】
請求項２に係る発明では、請求項１の携帯電話装置において、前記第２の制御部は、前記ロック完了信号に基づき、前記警報部の警報を停止させると共に、前記キーロック信号の送信を停止させる構成にしている。
【００１２】
請求項３に係る発明では、請求項１又は２の携帯電話装置において、前記監視制御回路は、前記キーロック信号を受信すると、前記第１の制御部の制御に基づき、前記携帯電話機から警報を発生させると共に前記キーをロックさせる構成にしている。
【００１３】
請求項４に係る発明では、請求項３の携帯電話装置において、前記監視制御回路は、前記ロック完了信号を送信した後、前記携帯電話機の警報を停止させると共に前記監視信号の送信を停止する構成にしている。
【００１４】
請求項５に係る発明では、請求項１〜４のいずれか１項の携帯電話装置において、前記制御部は、前記無線部で受信された前記監視信号のレベル変化に基づき、前記監視制御回路からの距離が所定の監視距離を越えたか否かの検出を行う構成にしている。
【００１５】
このような請求項１〜５に係る発明によれば、監視制御回路から監視信号が送信され、これが監視器で受信されると、この監視器で、前記監視制御回路からの距離が所定の監視距離を越えたか否かの検出が行われる。監視距離を越えたときには、監視器から警報が発生すると共に、キーロック信号が送信される。キーロック信号が監視制御回路で受信されると、携帯電話機のキーがロックした後（或いは、携帯電話機から警報が発生すると共にキーがロックした後）、前記監視制御回路からロック完了信号が送信された後、監視信号の送信が停止する（或いは、携帯電話機の警報が停止すると共に、監視信号の送信が停止する）。一方、ロック完了信号が監視器で受信されると、この監視器からのキーロック信号の送信が停止する（或いは、警報部の警報が停止すると共に、キーロック信号の送信が停止する）。
【００１６】
請求項６に係る発明では、携帯電話機と、監視制御回路と、監視器とを備えている。
【００１７】
前記携帯電話機は、電話機本体全体をプログラム制御する第１の制御部の制御に基づき、キーの操作によって無線での音声通話及びデータ伝送を行い、前記キーによる所定のロック操作によって前記キーの操作をロックする電話機本体と、第１のバッテリを有し、前記第１のバッテリの出力電力に基づき所定の電源電力を前記電話機本体内に供給する第１の電源部と、外部との間で電源電力及び信号の入／出力を行う外部接続端子と、を備えている。前記監視制御回路は、前記携帯電話機に装着され、前記第１の電源部から電源電力の供給を受け、前記第１の制御部の制御に基づき、外部からの監視信号の電波を受信しているときにはその応答信号の電波を送信し、前記監視信号の電波が受信されなくなると、前記第１の制御部の制御に基づき前記キーをロックさせた後、ロック完了信号の電波を送信する回路である。
【００１８】
更に、前記監視器は、前記監視信号の電波を送信すると共に前記応答信号及び前記ロック完了信号の電波を受信する無線部と、警報を発する警報部と、前記無線部で受信された前記応答信号に基づき、前記監視制御回路からの距離が所定の監視距離を越えたか否かの検出を行い、前記監視距離を越えたときには前記警報部から警報を発生させると共に前記無線部から前記監視信号の送信を停止させ、前記無線部で受信された前記ロック完了信号に基づき、前記監視信号の送信を停止させる第２の制御部と、第２のバッテリを有し、前記第２のバッテリの出力電力に基づき監視器全体に所定の電源電力を供給する第２の電源部と、を備えている。
【００１９】
請求項７に係る発明では、請求項６の携帯電話装置において、前記第２の制御部は、前記ロック完了信号に基づき、前記警報部の警報を停止させると共に、前記監視信号の送信を停止させる構成にしている。
【００２０】
請求項８に係る発明では、請求項６又は７の携帯電話装置において、前記監視制御回路は、前記監視信号の電波が受信されなくなると、前記第１の制御部の制御に基づき、前記携帯電話機から警報を発生させると共に前記キーをロックさせる構成にしている。
【００２１】
請求項９に係る発明では、請求項８の携帯電話装置において、前記監視制御回路は、前記キーをロックさせた後、前記携帯電話機の警報を停止させると共に前記ロック完了信号を送信する構成にしている。
【００２２】
請求項１０に係る発明では、請求項６〜９のいずれか１項の携帯電話装置において、前記制御部は、前記無線部で受信された前記応答信号のレベル変化に基づき、又は、前記無線部からの前記監視信号の送信時刻と前記無線部での前記応答信号の受信時刻との時刻差に基づき、前記監視制御回路からの距離が所定の監視距離を越えたか否かの検出を行う構成にしている。
【００２３】
このような請求項６〜１０に係る発明によれば、監視器から監視信号が送信され、これが監視制御回路で受信されると、この監視制御回路から応答信号が送信される。応答信号が監視器で受信されると、この監視器で、前記監視制御回路からの距離が所定の監視距離を越えたか否かの検出が行われる。監視距離を越えたときには、監視器から警報が発生すると共に、監視信号の送信が停止する。すると、携帯電話機のキーがロックした後（或いは、携帯電話機から警報が発生すると共にキーがロックした後）、監視制御回路からロック完了信号が送信される（或いは、携帯電話機の警報が停止すると共に、ロック完了信号が送信される）。一方、ロック完了信号が監視器で受信されると、監視信号の送信が停止する（或いは、監視器の警報が停止すると共に、監視信号の送信が停止する）。
【００２４】
請求項１１に係る発明では、請求項１〜１０のいずれか１項の携帯電話装置において、前記監視制御回路は、前記携帯電話機の前記外部接続端子に着脱自在に接続する構成にしている。
【００２５】
【発明の実施の形態】
（第１の実施形態）
（１）  構成
図１（ａ）、（ｂ）は、本発明の第１の実施形態を示す携帯電話装置の概略の構成図であり、同図（ａ）は携帯電話機の構成図、及び同図（ｂ）は監視器の構成図である。更に、図２は、図１の携帯電話装置の一例を示す概略の外観図である。
【００２６】
先ず、図２の外観図を説明すると、本実施形態の携帯電話装置は、無線により通話及びデータ伝送を行うＰＨＳを含む携帯電話機１０と、この携帯電話機１０に着脱自在に装着される送受信機能を有する外付け型の監視制御回路３０と、この監視制御回路３０に対して電波により送受信を行う監視器４０とで構成されている。
【００２７】
携帯電話機１０は、例えば、筐体であるケース１１を有し、このケース１１の上部に、挿脱可能なアンテナ１２が装着されている。ケース１１の正面の上部には、着信中や充電中に点滅や点灯をする着信／充電ランプ１３と、レシーバであるスピーカ或いはイヤホンの内、スピーカ１４の受話口１４ａとが設けられ、この下に表示器であるディスプレイ１５が設けられている。ディスプレイ１５の下には、操作部１６が設けられている。
【００２８】
操作部１６には、番号キー１６ａ、発信キー１６ｂ、終了キー１６ｃ、ナビゲーションキー１６ｄ等の各種のキーが設けられている。番号キー１６ａは、電話番号や文字・記号等を入力するときに使用するもので、１，２，・・・，９，０，＃，＊等のキーが設けられている。発信キー１６ｂは、電話を掛けるときや受けるとき等に使用するキーである。終了キー１６ｃは、電源のオン／オフと通話を終了するときに使用したり、或いは各種の機能を終了するときに使用するキーである。ナビゲーションキー１６ｄは、項目を選択するときや、ディスプレイ１５に表示されている操作を行うときに使用するキーである。
【００２９】
ケース１１の正面の下部には、マイクロホン１７が設けられ、この下のケース１１の下部内に、外部接続端子１８及び充電端子１９が設けられている。外部接続端子１８には、電源電力の入／出力を行う電源端子や、信号の入／出力を行う複数の信号端子が設けられている。外部接続端子１８には、例えば、これらを外部から保護するために、図示しない弾力性を有するキャップが着脱自在に被せられている。そのため、外部接続端子１８にキャップを被せた状態でも外部からの充電が可能なように、その外部接続端子１８の両側に、充電端子１９が設けられている。
【００３０】
ケース１１の背面側には、電源電力を供給するための充電可能な第１のバッテリ２０ａが着脱自在に装着されている。その他、ケース１１の背面や側面等には、レシーバであるイヤホン端子等の各種の部品が設けられている。
外付け型の監視制御回路３０は、携帯電話機１０から電源電力の供給及び制御を受け、監視器４０に対して電波の送受信を行う回路であり、パッケージ３１に収納されている。このパッケージ３１には、携帯電話機１０側の外部接続端子１８に挿脱自在に接続される外部接続端子３２や、外部露出型或いは内蔵型のアンテナ３３が設けられている。外部接続端子３２には、携帯電話機１０から電源電力の供給を受ける電源端子や、信号の入／出力を行う複数の信号端子が設けられている。
【００３１】
監視器４０は、ケース４１に収納され、このケース４１に、内蔵型或いは外部露出型のアンテナ４２、操作部４３、警報部（例えば、スピーカ）４４、及び電源ランプ４５等が設けられている。操作部４３には、電源スイッチ４３ａ、携帯電話機１０のキーロック機能をオン状態にするロックスイッチ４３ｂ、キーロック状態をオフ（解除）状態にする解除スイッチ４３ｃ、及び携帯電話機１０を呼出す呼出しスイッチ４３ｄ等が設けられている。
【００３２】
次に、図１の内部構成図を説明すると、携帯電話機１０のケース１１内には、アンテナ１２からの受信電波の入力とこのアンテナ１２への送信電波の出力とを切換える送受信切換部２１が設けられている。送受信切換部２１の出力端子には、受信部２２が接続されると共に、該送受信切換部２１の入力端子に、送信部２３が接続されている。受信部２２は、送受信切換部２１からの受信電波を受信する回路であり、この出力端子に、受信信号を復調してディジタルの復調信号を出力する復調部２４が接続されている。送信部２３は、変調信号から送信信号を生成して送受信切換部２１に与える回路であり、この入力端子に、その変調信号を生成する変調部２５が接続されている。
【００３３】
復調部２４の出力端子及び変調部２５の入力端子には、コーデック２６の入／出力端子が接続されている。コーデック２６は、復調部２４からのディジタルの復調信号を音声信号に再生し、送られてきた音声信号をディジタル信号に変換して変調部２５へ与え、更に、送られてきた発呼の信号等の制御信号を符号化して変調部２５へ与える回路であり、この入／出力端子に音声部２７及び第１の制御部２８が接続されている。音声部２７は、コーデック２６から与えられる音声信号を増幅してスピーカ１４へ与えると共に、マイクロホン１７からの音声信号を増幅してコーデック２６へ与える回路である。
【００３４】
第１の制御部２８は、発呼の信号等の制御信号をコーデック２６へ与えると共に、携帯電話機１０の全体及び監視制御回路３０をプログラム制御するための制御信号を生成する回路であり、中央処理装置（以下「ＣＰＵ」という。）等で構成されている。この制御部２８には更に、操作部１６と、外部接続端子１８と、キーロック指示データ等が格納されたメモリ２９とが接続されている。操作部１６には、第１の電源部２０が接続され、この電源部２０が外部接続端子１８の電源端子に接続されている。第１の電源部２０は、第１のバッテリ２０ａを有し、このバッテリ２０ａの出力電力に基づき所定の電源電力を携帯電話機１０の内部回路及び外部接続端子１８の電源端子へ供給すると共に、この外部接続端子１８の電源端子から入力される充電電力によりバッテリ２０ａを充電する回路である。
【００３５】
これらのアンテナ１２、スピーカ１４、操作部１６、マイクロホン１７、送受信切換部２１、受信部２２、送信部２３、復調部２４、変調部２５、コーデック２６、音声部２７、制御部２８及びメモリ２９等により、電話機本体が構成されている。
【００３６】
外付け型の監視制御回路３０において、パッケージ３１に設けられた外部接続端子３２には、電源電力や信号の入／出力を行うインタフェース３４を介して、無線部３５及びデコード部３６が接続されている。無線部３５は、アンテナ３３及びデコード部３６に接続され、携帯電話機１０側の制御部２８の制御によって受信及び送信を行う回路である。デコード部３６は、無線部３５で受信された受信信号をデコードしてこのデコード結果を制御部２８側へ与える回路である。
【００３７】
監視器４０のケース４１内には、無線部４６、第２の制御部４７、及び第２の電源部４８等が設けられている。無線部４６は、アンテナ４２及び制御部４７に接続され、アンテナ４２に対する電波の送受信を行う回路である。制御部４７は、操作部４３からの指示に従い監視器４０全体の制御を行う回路であり、ＣＰＵ等で構成されている。第２の電源部４８は、充電可能な第２のバッテリ４８ａを有し、このバッテリ４８ａの出力電力に基づき所定の電源電力を監視器４０の内部回路に供給する回路である。
【００３８】
（２）  動作
図３は、図１の監視制御回路３０が装着された携帯電話機１０側と監視器４０側との動作を示すフローチャートである。
【００３９】
携帯電話装置を使用する場合、例えば、使用者は携帯電話機１０と共に監視器４０も携帯する。ステップＳ１において、使用者が携帯電話機１０の終了キー１６ｃにより電源をオン状態にすると、携帯電話機１０及び監視制御回路３０の動作が開始すると共に、ステップＳ１０において、使用者が監視器４０の電源スイッチ４３ａにより電源をオン状態にすると、監視器１０の動作が開始する。
【００４０】
携帯電話機１０側のステップＳ２において、外部接続端子１８，３２及びインタフェース３４を介して、制御部２８の制御により無線部３５から連続的或いは間欠的に監視信号５１が出力され、この監視信号５１の電波がアンテナ３３から放射され、制御部２８がステップＳ３で、キーロック信号５２の受信待ち状態になる。この間、制御部２８の制御により、通常の携帯電話機動作が行われる。
【００４１】
例えば、外部から自己宛の電話呼出しの電波が到来すると、これがアンテナ１２で受信され、この受信電波が送受信切換部２１を介して受信部２２で受信される。受信部２２で受信された受信信号は、復調部２４で復調され、コーデック２６で音声信号に変換され、音声部２７で増幅された後、スピーカ１４の受話口１４ａから呼出し音が鳴る。電話を受けるために発信キー１６ｂを押すと、制御部２８の制御によって通話可能状態になり、外部から送られてくる相手方の音声電波は、アンテナ１２、送受信切換部２１、受信部２２、復調部２４、コーデック２６及び音声部２７を経由してスピーカ１４の受話口１４ａから聞こえる。相手方に話しかけると、この音声がマイクロホン１７で音声信号に変換され、音声部２７で増幅され、コーデック２６でディジタル信号に変換され、変調部２５で変調される。この変調信号は、送信部２３で送信信号に変換され、送受信切換部２１を介してアンテナ１２から送信電波が放射される。終了キー１６ｃを押せば、通話が終了する。一方、相手方に対して電話を掛けるときには、番号キー１６ａを押して相手方の電話番号を入力し、発信キー１６ｂを押すと、制御部２８の制御により、コーデック２６、変調部２５、送信部２３及び送受信切換部２１を経由してアンテナ１２から呼出し電波が放射され、上記と同様にして通話可能状態になる。
【００４２】
ステップＳ１０で監視器４０側の動作が開始されると、ステップＳ１１へ進む。ステップＳ１１において、アンテナ４２を介して無線部４６により監視信号５１が受信されたか否かが制御部４７で判定される。判定結果が「受信無し」のときには、携帯電話機１０側の電源がオフ状態等になっていることがあるので、ステップＳ１２において、スピーカ４４から警報が鳴って使用者に注意を喚起し、ステップＳ１１の監視信号５１の受信待ち状態に戻る。使用者が携帯電話機１０側の電源をオン状態等にすると、アンテナ３３から監視信号５１の電波が放射されるので、制御部４７での判定結果が「受信有り」となり、ステップＳ１３へ進む。
【００４３】
ステップＳ１３において、制御部４７により、スピーカ４４から警報が鳴っているか否かが判定され、判定結果が「警報有り」のときには、ステップＳ１４で警報が停止してステップＳ１５へ進む。判定結果が「警報無し」のときには、そのままステップＳ１５へ進む。ステップＳ１５において、制御部４７により、アンテナ４２を介して無線部４６で受信された監視信号５１のレベル変化が検出され、携帯電話機１０に装着された監視制御回路３０からの距離が所定の監視距離（例えば、数メートル或いは１０数メートル）を越えたか否か、つまり監視器４０から見て携帯電話機１０が監視領域内にあるか否かの判定が行われる。携帯電話機１０が手元にあるときには、判定結果が「監視領域内」となるため、ステップＳ１１へ戻り、上記のステップＳ１１〜Ｓ１５の処理が繰り返される。
【００４４】
例えば、使用者が携帯電話機１０を置き忘れてこの携帯電話機１０から数メートル（或いは１０数メートル）離れると、制御部４７の判定結果が「監視領域外」となり、ステップＳ１６において、スピーカ４４から警報が鳴って注意が喚起されると共に、無線部４６からアンテナ４２を介してキーロック信号５２の電波が放射され、ステップＳ１７へ進む。ステップＳ１７において、監視制御回路３０から送信されるロック完了信号５３の受信待ち状態になり、「受信無し」のときにはステップＳ１６へ戻る。
【００４５】
携帯電話機１０側のステップＳ３において、アンテナ３３を介して無線部３５によりキーロック信号５２が受信され、これがデコード部３６によりデコードされ、デコード結果がインタフェース３４及び外部接続端子３２，１８を介して制御部２８に与えられると、ステップＳ４において、制御部２８の制御によりスピーカ１４から警報（例えば、ブザー音、着信音、録音された音声、ダウンロードされた音楽等）が発生して注意が喚起され、更に、制御部２８の制御によってキーロック状態がオン状態になり、他人による不正使用が防止されつつ、ステップＳ５へ進む。ステップＳ５において、制御部２８により、キーロックが完了したか否かが判定され、判定結果が「キーロック未完了」のときには、ステップＳ４に戻って警報及びキーロック動作が繰り返される。判定結果が「キーロック完了」になると、ステップＳ６へ進み、外部接続端子１８，３２及びインタフェース３４を介して制御部２８の制御により、無線部３５からアンテナ３３を介してロック完了信号５３の電波が放射される。その後、ステップＳ７において、制御部２８の制御により、スピーカ１４からの警報が停止すると共に、監視信号５１の送信が停止され、ステップＳ８で監視制御回路３０の動作が終了する。
【００４６】
監視器４０側では、ステップＳ１７において、アンテナ４２を介して無線部４６によりロック完了信号５３が受信されると、ステップＳ１８へ進み、制御部４７の制御により、警報が停止すると共に、キーロック信号５２の送信が停止し、ステップＳ１９で監視器４０の動作が終了する。
【００４７】
（３）  効果
この第１の実施形態では、次の（ａ）〜（ｆ）のような効果がある。
【００４８】
（ａ）  使用者が携帯電話機１０と共に監視器４０を携帯し、何処かで携帯電話機１０を置き忘れてその場から例えば数メートル（或いは１０数メートル）離れると、自動的に監視器４０のスピーカ４４から警報が鳴ると共に、携帯電話機１０のスピーカ１４から警報が鳴り、更に自動的に携帯電話機１０のキーロック状態がオン状態になる。そのため、携帯電話機１０の置き忘れを防止できると共に、直ちに他人による携帯電話機１０の不正使用を防止できる。なお、キーロック状態を解除するには、携帯電話機１０の操作部１６からパスワードを入力するか、或いは監視器４０側の解除スイッチ４３ｃをオン状態にすれば、携帯電話機１０側の制御部２８の制御により、キーロック状態がオフ状態になる。
【００４９】
（ｂ）  携帯電話機１０に装着された監視制御回路３０と監視器４０との間で電波を送受信して携帯電話機１０の置き忘れを防止しているので、電話料金も掛からず、しかも自動的に警報が鳴ってキーロックが掛かるので、煩わしい操作が不要になって使い勝手が良い。
【００５０】
（ｃ）  監視制御回路３０は、携帯電話機１０のバッテリ２０ａから電源電力の供給を受け、制御部２８の制御により動作する構成になっているので、内部回路数が少なくなって小型化でき、しかも外部接続端子３２を携帯電話機１０側の外部接続端子１８に着脱自在に接続するだけで、簡単に外付けできて使い勝手が良い。
【００５１】
（ｄ）  監視制御回路３０の無線部３５から、監視信号５１を間欠的に送信する構成にすると、バッテリ２０ａの電力消費を減少できる。
【００５２】
（ｅ）  監視器４０側にロックスイッチ４３ｂを設けたので、このロックスイッチ４３ｂをオン状態にすれば、制御部４７の制御により、無線部４６からアンテナ４２を介してキーロック信号５２の電波が放射され、これが監視制御回路３０のアンテナ３３を介して無線部３５で受信され、制御部２８の制御によってキーロック状態がオン状態になり、離れた場所から簡単にキーをロックすることができる。
【００５３】
（ｆ）  監視器４０側に呼出しスイッチ４３ｄを設けたので、この呼出しスイッチ４３ｄをオン状態にすれば、制御部４７の制御により、無線部４６からアンテナ４２を介して呼出し信号の電波が放射され、これが監視制御回路３０のアンテナ３３を介して無線部３５で受信され、制御部２８の制御によってスピーカ１４から呼出し音が出力される。これに対し、携帯電話機１０側の操作部１６から呼出し入力をすれば、制御部２８の制御により、無線部３５からアンテナ３３を介して呼出し信号の電波が放射され、これが監視器４０のアンテナ４２を介して無線部４６で受信され、制御部４７の制御により、スピーカ４４から呼出し音が鳴る。このように携帯電話機１０及び監視器４０間で相互に呼出しが行える機能を設けることにより、携帯電話装置の用途を拡大できる。
【００５４】
（４）  変形例
携帯電話機１０、監視制御回路３０及び監視器４０は、図示の回路構成、外観構造、外観形状、及び動作に限定されず、種々の構成、構造、形状、動作に変更しても良い。その変形例としては、例えば、次の（Ａ）〜（Ｊ）のようなものがある。
【００５５】
（Ａ）  図１の監視制御回路３０において、デコード部３６を省略し、このデコード部３６の機能を携帯電話機１０側の制御部２８に持たせても良い。これによリ、監視制御回路３０の構成を簡単化できる。
【００５６】
（Ｂ）  スピーカ１４，４４は、震動器、点滅灯等の他の構成の警報部で構成しても良い。
【００５７】
（Ｃ）  監視領域の監視距離を調整するスイッチ等を、監視器４０側の操作部４３等に設ければ、使い勝手が更に良くなる。
【００５８】
（Ｄ）  監視器４０側の電源スイッチ４３ａ、ロックスイッチ４３ｂ、解除スイッチ４３ｃ、呼出しスイッチ４３ｄ等は、不要であれば削除しても良い。これにより、監視器４０の構成が簡単になって低コスト化が可能になる。
【００５９】
（Ｅ）  監視器４０の電源スイッチ４３ａを削除し、携帯電話機１０の操作部１６を用いた遠隔操作により、監視器４０側の電源のオン／オフを切換える構成にしても良い。このような構成では、例えば、携帯電話機１０の操作部１６を操作すると、制御部２８の制御により、無線部３５を介してアンテナ３３から電源切換え信号が送信され、これが監視器４０側のアンテナ４２を介して無線部４６に受信され、制御部４７の制御によって電源のオン／オフが切換えられる。これにより、例えば、監視器４０の置き忘れ等による他人の不正使用等を防止できる。
【００６０】
（Ｆ）  監視器４０の操作部４３を用いた遠隔操作により、携帯電話機１０側の電源のオン／オフを切換える構成にしても良い。このような構成では、例えば、監視器４０の操作部４３を操作すると、制御部４７の制御により、無線部４６を介してアンテナ４２から電源切換え信号が送信され、これが携帯電話機１０側のアンテナ３３を介して無線部３５に受信され、制御部２８の制御によって電源のオン／オフが切換えられる。これにより、携帯電話装置の使い勝手が良くなる。
【００６１】
（Ｇ）  図３において、監視器４０側のステップＳ１２〜Ｓ１４の処理を省略し、ステップＳ１１で「受信無し」のときには再びステップＳ１１へ戻り、ステップＳ１１で「受信有り」のときにはステップＳ１５へ進むようにしても良い。これにより、監視器４０側の制御部４７の制御を簡単化できる。
【００６２】
（Ｈ）  図３のステップＳ７において、携帯電話機１０側の制御部２８による警報停止処理を省略し、操作部１６等を用いた手動操作によって携帯電話機１０の警報を停止するようにしても良い。これにより、使用者の注意を喚起できると共に、制御部２８の制御を簡単化できる。
【００６３】
（Ｉ）  図３のステップＳ４において、携帯電話機１０側の制御部２８による警報処理を省略しても良い。これにより、ステップＳ７での警報停止処理も不要になって制御部２８の制御をより簡単化できる。
【００６４】
（Ｊ）  図３のステップＳ１８において、監視器４０側の制御部４７による警報停止処理を省略し、操作部４３等を用いた手動操作によって監視器４０の警報を停止するようにしても良い。これにより、使用者の注意を喚起できると共に、制御部４７の制御を簡単化できる。
【００６５】
（第２の実施形態）
（１）  構成
第１の実施形態を示す図１及び図３では、携帯電話機１０側の監視制御回路３０に、監視信号５１を送信する機能を設けているが、この第２の実施形態では、携帯電話機１０側の制御部２８及び監視器４０側の制御部４７の構成を変えて、監視器４０側に監視信号５１を送信する機能を設けている。
【００６６】
（２）  動作
図４は、本発明の第２の実施形態における監視制御回路３０が装着された携帯電話機１０側と監視器４０側との動作を示すフローチャートである。なお、図４では説明の簡略化を図るために、図３中の要素と共通の要素には共通の符号が付されている。
【００６７】
図３と同様に、携帯電話装置を使用する場合、例えば、使用者は携帯電話機１０と共に監視器４０も携帯する。携帯電話機１０側のステップＳ１において、使用者が携帯電話機１０の終了キー１６ｃにより電源をオン状態にすると、携帯電話機１０及び監視制御回路３０の動作が開始し、図３と同様に制御部２８の制御によって携帯電話機１０が通常の通信動作を行うと共に、ステップＳ３１へ進んで監視信号５１の受信待ち状態になる。
【００６８】
これに対し、監視器４０側では、ステップＳ１０において、使用者が監視器４０の電源スイッチ４３ａにより電源をオン状態にすると、監視器４０の動作が開始してステップＳ４１へ進み、制御部４７の制御により、無線部４６から連続的或いは間欠的に監視信号５１が出力され、この監視信号５１の電波がアンテナ４２から放射され、制御部４７がステップＳ４２で、応答信号５４の受信待ち状態になる。
【００６９】
携帯電話機１０側のステップＳ３１において、アンテナ３３を介して無線部３５により監視信号５１が受信されると、この受信信号がデコード部３６でデコードされ、このデコード結果がインタフェース３４及び外部接続端子３２，１８を介して制御部２８に与えられ、ステップＳ３２へ進む。ステップＳ３２において、外部接続端子１８，３２及びインタフェース３４を介して、制御部２８の制御により無線部３５から応答信号５４が送信され、アンテナ３３から応答信号５４の電波が放射され、ステップＳ３１の監視信号５１の受信待ち状態に戻る。
【００７０】
監視器４０側のステップＳ４２において、アンテナ４２を介して無線部４６により応答信号５４が受信されたか否かが制御部４７で判定される。判定結果が「受信無し」のときには、携帯電話機１０側の電源がオフ状態等になっていることがあるので、ステップＳ１２において、スピーカ４４から警報が鳴って使用者に注意を喚起し、ステップＳ４１へ戻る。使用者が携帯電話機１０側の電源をオン状態等にすると、アンテナ３３から応答信号５４の電波が放射されるので、制御部４７での判定結果が「受信有り」となり、ステップＳ１３へ進む。
【００７１】
ステップＳ１３において、制御部４７により、スピーカ４４から警報が鳴っているか否かが判定され、判定結果が「警報有り」のときには、ステップＳ１４で警報が停止してステップＳ１５へ進む。判定結果が「警報無し」のときには、そのままステップＳ１５へ進む。ステップＳ１５において、制御部４７により、アンテナ４２を介して無線部４６で受信された応答信号５４のレベル変化が検出され（或いは、制御部４７によるタイマ機能等によって監視信号５１の送信時刻と応答信号５４の受信時刻との時刻差が検出され）、携帯電話機１０に装着された監視制御回路３０からの距離が所定の監視距離（例えば、数メートル或いは１０数メートル）を越えたか否か、つまり監視器４０から見て携帯電話機１０が監視領域内にあるか否かの判定が行われる。携帯電話機１０が手元にあるときには、判定結果が「監視領域内」となるため、ステップＳ４１へ戻り、上記のステップＳ４１〜Ｓ１５の処理が繰り返される。
【００７２】
図３と同様に、使用者が携帯電話機１０を置き忘れてこの携帯電話機１０から数メートル（或いは１０数メートル）離れると、制御部４７の判定結果が「監視領域外」となり、この制御部４７の制御により、ステップＳ４３において、スピーカ４４から警報が鳴って注意が喚起されると共に、監視信号５１の送信が停止され、ステップＳ１７へ進む。ステップＳ１７において、監視制御回路３０から送信されるロック完了信号５３の受信待ち状態になり、「受信無し」のときにはステップＳ４３へ戻る。
【００７３】
携帯電話機１０側のステップＳ３１において、アンテナ３３を介して無線部３５により監視信号５１が受信され、これがデコード部３６によりデコードされ、デコード結果がインタフェース３４及び外部接続端子３２，１８を介して制御部２８に与えられると、ステップＳ４において、図３と同様に、制御部２８の制御により、スピーカ１４から警報（例えば、ブザー音、着信音、録音された音声、ダウンロードされた音楽等）が発生して注意が喚起されると共に、キーロック状態がオン状態になり、他人による不正使用が防止されつつ、ステップＳ５へ進む。ステップＳ５において、制御部２８により、キーロックが完了したか否かが判定され、判定結果が「キーロック未完了」のときには、ステップＳ４に戻ってキーロック動作が繰り返される。判定結果が「キーロック完了」になると、ステップＳ３３へ進み、制御部２８の制御により、スピーカ１４からの警報が停止すると共に、無線部３５からロック完了信号５３が送信され、アンテナ３３を介してロック完了信号５３の電波が放射され、ステップＳ８で監視制御回路３０の動作が終了する。
【００７４】
図３と同様に、監視器４０側では、ステップＳ１７において、アンテナ４２を介して無線部４６によりロック完了信号５３が受信されると、ステップＳ４４へ進み、制御部４７の制御により、警報が停止すると共に監視信号５１の送信が停止し、ステップＳ１９で監視器４０の動作が終了する。
【００７５】
（３）  効果
この第２の実施形態では、第１の実施形態の（ａ）〜（ｆ）の効果とほぼ同様の効果がある上に、更に次の（ｇ）のような効果もある。
【００７６】
（ｇ）  監視器４０から監視信号５１を送信し、携帯電話機１０側の監視制御回路３０からの応答信号５４を受信して携帯電話機１０の置き忘れを監視しているので、制御部４７において監視領域内か否かの検出構成を種々採用でき、設計や製造の自由度等を向上できる。
【００７７】
（４）  変形例
この第２の実施形態では、第１の実施形態の（Ａ）〜（Ｇ）の変形例と同様の変形が可能である上に、次の（Ｋ）〜（Ｍ）のような変形も可能である。
【００７８】
（Ｋ）  図４のステップＳ３３において、図３のステップＳ７と同様に、携帯電話機１０側の制御部２８による警報停止処理を省略し、操作部１６等を用いた手動操作によって携帯電話機１０の警報を停止するようにしても良い。これにより、使用者の注意を喚起できると共に、制御部２８の制御を簡単化できる。
【００７９】
（Ｌ）  図４のステップＳ４において、図３と同様に、携帯電話機１０側の制御部２８による警報処理を省略しても良い。これにより、ステップＳ３３での警報停止処理も不要になって制御部２８の制御をより簡単化できる。
【００８０】
（Ｍ）  図４のステップＳ４４において、図３のステップＳ１８と同様に、監視器４０側の制御部４７による警報停止処理を省略し、操作部４３等を用いた手動操作によって監視器４０の警報を停止するようにしても良い。これにより、使用者の注意を喚起できると共に、制御部４７の制御を簡単化できる。
【００８１】
（第３の実施形態）
（１）  構成
図５（ａ）、（ｂ）は、本発明の第３の実施形態を示す携帯電話装置の概略の構成図であり、同図（ａ）は携帯電話機１０の構成図、及び同図（ｂ）は監視器の構成図であり、第１の実施形態を示す図１中の要素と共通の要素には共通の符号が付されている。
【００８２】
この携帯電話装置では、内蔵型の監視制御回路３０Ａが携帯電話機１０のケース１１内に設けられている。監視制御回路３０Ａは、図１の外付け型の監視制御回路３０とほぼ同様のインタフェース３４Ａ、無線部３５Ａ及びデコード部３６を有し、該インタフェース３４Ａが無線部３５Ａ及びデコード部３６に接続されると共に、携帯電話機１０側の制御部２８及び電源部２０に接続されている。無線部３５Ａは、携帯電話機１０側のアンテナ１２に接続されている。その他の携帯電話機１０の内部回路及び監視器４０の構成は、図１の構成と同様である。
【００８３】
（２）  動作
この第３の実施形態では、監視制御回路３０Ａ内に設けられた無線部３５Ａの送受信が、携帯電話機１０側のアンテナ１２を介して行われる点のみが第１及び第２の実施形態と異なり、その他の動作は図３或いは図４とほぼ同様に実行される。
【００８４】
（３）  効果・変形例
この第３の実施形態では、第１又は第２の実施形態とほぼ同様の効果や変形例がある上に、更に次の（ｈ）のような効果もある。
【００８５】
（ｈ）  監視制御回路３０Ａが携帯電話機１０内に内蔵され、インタフェース３４Ａを介して電源部２０及び制御部２８に接続され、更に無線部３５Ａが携帯電話機１０側のアンテナ１２に接続されているので、図１の外部接続端子３２及びアンテナ３３の省略により、内部回路の構成が簡単になり、より低コスト化が可能になる。
【００８６】
（第４の実施形態）
（１）  構成
図６は、本発明の第４の実施形態を示す監視器の概略の構成図であり、第１の実施形態を示す図１（ｂ）中の要素と共通の要素には共通の符号が付されている。
【００８７】
この監視器４０Ａは、図１（ｂ）と同様のケース４１に収納され、このケース４１に、図１（ｂ）とほぼ同様の内蔵型或いは外部露出型のアンテナ４２と、操作部４３と、スピーカ４４と、電源ランプ４５と、無線部４６と、監視器全体を制御する制御部４７Ａと、バッテリ４８ａを有する電源部４８とが設けられている。更に、ケース４１内には新たに、データ格納用のメモリ４８と、電源及び信号の入／出力を行う外部接続端子４９とが設けられ、これらのメモリ４８及び外部接続端子４９が制御部４７Ａに接続されている。
【００８８】
（２）  動作・効果・変形例
監視器４０Ａを有する携帯電話装置の全体の動作、効果及び変形例は、第１又は第２の実施形態とほぼ同様である。
【００８９】
特に本実施形態では、監視器４０Ａにメモリ４８及び外部接続端子４９を設けたので、例えば、携帯電話機１０内に記憶された着信音、録音された音声、ダウンロードされた音楽等を、外部接続端子４９から入力してメモリ４８に格納しておけば、それらの着信音等を警報時や呼出し時にスピーカ４４から出力できる。或いは、外部接続端子４９からバッテリ４８ａを充電する等、用途や機能を拡張できる。
【００９０】
（第５の実施形態）
（１）  構成
図７は、本発明の第５の実施形態を示す監視器の概略の構成図であり、第４の実施形態を示す図６中の要素と共通の要素には共通の符号が付されている。
【００９１】
この監視器４０Ｂでは、図６の監視器４０Ａにマイクロホン６１及びディスプレイ６２を追加した構成になっている。マイクロホン６１及びディスプレ６２は、監視器全体を制御する制御部４７Ｂに接続されている。その他の構成は、図６と同様である。
【００９２】
（２）  動作・効果・変形例
監視器４０Ｂの動作、効果及び変形例は、第４の実施形態とほぼ同様である。
【００９３】
特に本実施形態では、監視器４０Ｂにマイクロホン６１を設けたので、例えば、トランシーバとして使用できる。トランシーバとして使用する場合、音声をマイクロホン６１から入力すると、制御部４７Ｂの制御により、そのマイクロホン６１から出力された音声信号が無線部４６で変調され、アンテナ４２から送信されて図１や図５の携帯電話機１０側、或いは他のトランシーバ側へ送られる。又、これらの携帯電話機１０側或いはトランシーバ側から送られてきた音声信号の電波は、制御部４７Ｂの制御により、アンテナ４２を介して無線部４６で受信された後に復調され、スピーカ４４から音声が出力される。
【００９４】
図１や図５の携帯電話機１０側をトランシーバとして使用する場合には、図１の監視制御回路３０や図５の監視制御回路３０Ａにトランシーバ機能を設ければ良い。トランシーバ機能としては、制御部２８の制御により、マイクロホン１７から入力された音声信号を無線部３５，３５Ａで変調してアンテナ３３，１２から送信し、又、送られてきた音声信号を、アンテナ３３，１２を介して無線部３５，３５Ａで受信した後に復調し、スピーカ１４から音声を出力する回路構成にすれば良い。
【００９５】
このようにマイクロホン６１を設けてトランシーバ機能を付加すれば、本実施形態の監視器４０Ｂの用途を拡大できる。しかも、ディスプレイ６２を設けたので、このディスプレイ６２に種々のデータを表示でき、使い勝手を向上できる。
【００９６】
【発明の効果】
以上詳細に説明したように、請求項１〜１０に係る発明によれば、次の（ｉ）〜（ｉｖ）のような効果がある。
【００９７】
（ｉ）  使用者が携帯電話機と共に監視器を携帯し、何処かで携帯電話機を置き忘れてその場から離れると、自動的に監視器（或いは、監視器と携帯電話機）から警報が出力され、更に自動的に携帯電話機のキーロック状態がオン状態になる。そのため、携帯電話機の置き忘れを防止できると共に、直ちに他人による携帯電話機の不正使用を防止できる。
【００９８】
（ｉｉ）  携帯電話機に装着された監視制御回路と監視器との間で電波を送受信して携帯電話機の置き忘れを防止しているので、電話料金も掛からず、しかも自動的に警報が出力されてキーのロックが掛かるので、煩わしい操作が不要になって使い勝手が良い。
【００９９】
（ｉｉｉ）  監視制御回路は、携帯電話機のバッテリから電源電力の供給を受け、第１の制御部の制御により動作する構成になっているので、内部回路数が少なくなって小型化できる。
【０１００】
（ｉｖ）  監視信号を間欠的に送信する構成にすると、バッテリの消費電力を削減できる。
【０１０１】
請求項１１に係る発明によれば、外部接続端子を携帯電話機側の外部接続端子に着脱自在に接続するだけで、簡単に外付けできて使い勝手が良い。
【図面の簡単な説明】
【図１】本発明の第１の実施形態を示す携帯電話装置の概略の構成図である。
【図２】図１の概略の外観図である。
【図３】図１の動作を示すフローチャートである。
【図４】本発明の第２の実施形態の動作を示すフローチャートである。
【図５】本発明の第３の実施形態を示す携帯電話装置の概略の構成図である。
【図６】本発明の第４の実施形態を示す監視器の概略の構成図である。
【図７】本発明の第５の実施形態を示す監視器の概略の構成図である。
【符号の説明】
１０      携帯電話機
１２，３３      アンテナ
１４，４４      スピーカ
１６，４３      操作部
１７      マイクロホン
１８，３２，４９      外部接続端子
２０，４８      電源部
２０ａ，４８ａ    バッテリ
２２      受信部
２３      送信部
２４      復調部
２５      変調部
２６      コーデック
２８，４７，４７Ａ，４７Ｂ      制御部
２９，４８      メモリ
３０，３０Ａ      監視制御回路
３５，４６      無線部
３６      デコード部
４０，４０Ａ，４０Ｂ      監視器
【図１】
2004260540.tif 000003
【図２】
2004260540.tif 000004
【図３】
2004260540.tif 000005
【図４】
2004260540.tif 000006
【図５】
2004260540.tif 000007
【図６】
2004260540.tif 000008
【図７】
2004260540.tif 000009